(57)【特許請求の範囲】
【請求項１】
本体フレームの一側面から他側面に貫通して設けられた貫通孔に、該他側面から一側面に貫通して設けられる固定用ボルトと、
後端部に、上記固定用ボルトの先端部に螺合される雌ネジ部を有する共に、先端部に雌ネジ部を有する取付杆と、
上記取付杆の先端部の雌ネジ部に螺合される雄ネジボルトと、
該雄ネジボルトに固定された、上記取付杆に装着された筋交いを、上記本体フレームとの間で挟み込む押え部材とよりなり、
上記取付杆の後端部の後端面には、外方に突出して設けられた突起部が形成され、該突起部には、上記雌ネジ部に連続する雌ネジ部が形成されると共に、上記フレームの一方の側壁に形成された貫通孔に合致する形状に形成され、
該突起部及び上記貫通孔の形状は、上記固定用ボルトを上記取付杆に螺合するために回転させた時に、上記取付杆が供回りしない形状に形成されることを特徴とする筋交い連結装置。
【請求項２】
上記突起部及び上記貫通孔の形状は、楕円、長円形又は多角形状に形成されていることを特徴とする請求項１記載の筋交い連結装置。
【発明の詳細な説明】
【技術分野】
【０００１】
本発明は、特に、仮設建築物や足場などの本体フレームに筋交い（ブレース）を連結するための筋交い連結装置、及びこの筋交い連結装置が固定された本体フレームに関するものである。
【背景技術】
【０００２】
図６に示すように、従来、仮設建築物や足場などの本体フレーム１と筋交い２との連結は、上記本体フレーム１に突出して固定して設けられた雄ネジボルト（図示せず）に、上記筋交い２の端部２ａに形成された開口部を挿入して、上記雄ネジボルトに上記筋交い２を装着し、そして、上記雄ネジボルトにナット３を螺合し、上記筋交い２の端部２ａを上記本体フレーム１とナット３間に挟み込むことにより連結していた。
【発明の概要】
【発明が解決しようとする課題】
【０００３】
しかしながら、上記雄ネジボルトに、上記筋交い２の開口部を挿入する際、上記雄ネジボルトのネジ山が擦れて潰れてしまい、該雄ネジボルトにナットを螺合できない場合があった。
【０００４】
また、上記本体フレーム１をメッキする際、該本体フレーム１に固定された雄ネジボルトのネジ溝にメッキが詰まってしまい、再度ネジ切りが必要である場合があった。
【０００５】
本発明は上記の欠点を無くすようにしたものである。
【課題を解決するための手段】
【０００６】
本発明の筋交い連結装置は、本体フレームの一側面から他側面に貫通して設けられた貫通孔に、該他側面から一側面に貫通して設けられる固定用ボルトと、後端部に、上記固定用ボルトの先端部に螺合される雌ネジ部を有する共に、先端部に雌ネジ部を有する取付杆と、上記取付杆の先端部の雌ネジ部に螺合される雄ネジボルトと、該雄ネジボルトに固定された、上記取付杆に装着された筋交いを、上記本体フレームとの間で挟み込む押え部材とよりなり、上記取付杆の後端部の後端面には、外方に突出して設けられた突起部が形成され、該突起部には、上記雌ネジ部に連続する雌ネジ部が形成されると共に、上記フレームの一方の側壁に形成された貫通孔に合致する形状に形成され、該突起部及び上記貫通孔の形状は、上記固定用ボルトを上記取付杆に螺合するために回転させた時に、上記取付杆が供回りしない形状に形成されることを特徴とする。
【０００７】
また、上記突起部及び上記貫通孔の形状は、楕円、長円形又は多角形状に形成されていることを特徴とする。
【発明の効果】
【０００８】
本発明によれば、ネジ山を潰すことがないと共に、ネジ溝にメッキが詰まるようなことがない。
【図面の簡単な説明】
【０００９】
【図１】本発明の筋交い連結装置を分解した縦断側面図である。
【図２】本発明の筋交い連結装置の縦断側面図である。
【図３】本発明の筋交い連結装置の突起部の背面図である。
【図４】本発明の筋交い連結装置の雄ネジボルトと押さえ部材の縦断側面図である。
【図５】本発明の筋交い連結装置の雄ネジボルトと押さえ部材の固定方法の説明図である。
【図６】筋交いが連結された本体フレームの説明図である。
【発明を実施するための形態】
【００１０】
以下図面によって本発明の実施例を説明する。
【実施例１】
【００１１】
本発明の筋交い連結装置は、図１及び図２に示すように、例えば、矩形筒状の本体フレーム１の一方の側壁１ａと、該一方の側壁１ａに対向する他方の側壁１ｂにそれぞれ形成された、上記本体フレーム１の一側面から他側面に貫通して設けられた一方及び他方の貫通孔４ａ、４ｂを、上記本体フレーム１の他側面から一側面に貫通して設けられる固定用ボルト５と、後端部６ｂに、該後端部６ｂの後端面から軸方向に延びる、上記固定用ボルト５の先端部５ａに螺合する雌ネジ部７を有すると共に、先端部６ａに、該先端部６ａの先端面から軸方向に延びる雌ネジ部８を有する、筋交い挿入用の円柱状の取付杆６と、該取付杆６の先端部６ａの雌ネジ部８に螺合される雄ネジボルト９と、該雄ネジボルト９に固定された、上記取付杆６に挿入されて、装着された筋交い２を、上記本体フレーム１との間で挟み込む押え部材１０とよりなる。
【００１２】
また、図１〜図３に示すように、上記取付杆６の後端部６ｂの外周面には、鍔部１１が形成されている。なお、該鍔部１１は省略してもよい。
【００１３】
また、上記取付杆６の後端部６ｂの後端面には、外方に突出して設けられた位置決め用の突起部１２が形成され、該突起部１２には、上記雌ネジ部７に連続する雌ネジ部７ａが形成されている。
【００１４】
なお、上記突起部１２の形状は、図３に示すように、上記本体フレーム１の一方の側壁１ａに形成された貫通孔４ａに合致する形状に形成される。そして、上記突起部１２及び上記本体フレーム１の貫通孔４ａの形状は、上記固定用ボルト５を上記取付杆６に螺合するために回転させた時に、上記取付杆６が供回りしないように、円以外の形状、例えば、楕円、長円形、多角形状に形成されるのが好ましい。
【００１５】
また、上記押え部材１０は、例えば、図４に示すように、上記雄ネジボルト９のボルト部１３の基部１３ａに、例えば、溶接により固定される円板状の固定部１０ａと、該固定部１０ａの周縁部から、上記ボルト部１３の軸方向に沿って先端方向に延びる、上記雄ネジボルト９のボルト部１３と、その内周面とが所望の距離離間した円筒状の押え片１０ｂとよりなる。
【００１６】
なお、上記所望の距離は、上記取付杆６に上記雄ネジボルト９のボルト部１３の先端部１３ｂを螺合した時に、上記円筒状の押え片１０ｂ内に、上記取付杆６を挿入できるだけの空間があるように形成される。
【００１７】
即ち、上記円筒状の押え片１０ｂの内径は、上記取付杆６の外径よりも大きく形成されている。
【００１８】
なお、９ａは、上記雄ネジボルト９の頭部であり、１４は、上記ボルト部１３と上記固定部１０ａとに形成された溶接部である。
【００１９】
なお、上記雄ネジボルト９と上記押え部材１０とは、例えば、図５に示すように、上記押え部材１０の円板状の固定部１０ａの中央に貫通したネジ孔１５を設け、該ネジ孔１５に、上記雄ネジボルト９を螺合して、図４に示すように、上記雄ネジボルト９のボルト部１３の基部１３ａと上記押え部材１０の固定部１０ａとを溶接して、固定するようにしてもよい。
【００２０】
次に、本発明の筋交い連結装置が固定された本体フレームの製造方法を説明する。
【００２１】
まず、貫通孔４ａ、４ｂを有する本体フレーム１のみをメッキし、その後に、該本体フレーム１の貫通孔４ａに、上記取付杆６の突起部１２を嵌合して位置決めし、上記固定用ボルト５を上記本体フレーム１の他方の側壁１ｂの他方の貫通孔４ｂ側から挿入し、そして、該固定用ボルト５の先端部５ａを、上記取付杆６の雌ネジ孔部７ａ、７に螺合して締め付け、上記取付杆６を上記本体フレーム１に固定するようにする。
【００２２】
これにより、本体フレーム１のメッキ後に、取付杆６を本体フレーム１に固定できるので、取付杆６の雌ネジ部内にメッキが侵入しないようになる。
【００２３】
そして、図２に示すように、上記取付杆６に、１又は複数の筋交い２の端部２ａの開口部１６を挿入して、上記取付杆６に上記筋交い２を装着し、そして、上記取付杆６の雌ネジ部８に、上記押え部材１０が固定された雄ネジボルト９を所望の範囲まで螺合し、上記筋交い２の端部２ａが上記本体フレーム１と上記押え部材１０の押え片１０ｂ間に位置されるようにし、これにより、上記筋交い２が上記本体フレーム１に連結されるようなる。
【００２４】
なお、上記押え片１０ａにより上記筋交い２の端部２ａを押圧するまで、上記雄ネジボルト９を螺合してもよく、或いは、押圧することなく、所望の間隔離間して、上記本体フレーム１と上記押え片１０ａの先端部間に位置されるようにしてもよい。
【００２５】
本発明の筋交い連結装置を用いれば、筋交い２を装着する際でも、ネジ山を潰すことがない。
【００２６】
また、筋交い連結装置の取付杆６の本体フレーム１への固定に、固定用ボルト５を用いるので、本体フレーム１に取付杆６を固定する前に、本体フレーム１をメッキで被覆できるので、雌ネジ部内のネジ溝が詰まるようなことがない。
【００２７】
また、筋交い連結装置が故障した場合でも、固定用ボルト５の取り外しのみで、取付杆６の取り換えが可能となるので、再度、本体フレーム１をメッキすることが不要となる。
【符号の説明】
【００２８】
１      本体フレーム
１ａ    一方の側壁
１ｂ    他方の側壁
２      筋交い
２ａ    端部
３      ナット
４ａ    貫通孔
４ｂ    貫通孔
５      固定用ボルト
５ａ    先端部
６      取付杆
６ａ    先端部
６ｂ    後端部
７      雌ネジ部
７ａ    雌ネジ部
８      雌ネジ部
９      雄ネジボルト
９ａ    頭部
１０    押え部材
１０ａ  固定部
１０ｂ  押え片
１１    鍔部
１２    突起部
１３    ボルト部
１３ａ  基部
１３ｂ  先端部
１４    溶接部
１５    ネジ孔
１６    開口部
【図１】
0006262802.tif 000002
【図２】
0006262802.tif 000003
【図３】
0006262802.tif 000004
【図４】
0006262802.tif 000005
【図５】
0006262802.tif 000006
【図６】
0006262802.tif 000007